(57)【要約】【課題】この発明は、洗濯物を屋外にて天日干しする際、洗濯物の全体を容易に覆うことができるとともに、洗濯物が雨に濡れてしまったり、鳥の糞や木の葉等が付着したり、花粉、塵埃等のアレルギー症状を誘起するような微粒子が付着することを防止することができる洗濯物干し用カバーを提供することを目的とする。【解決手段】洗濯物干し用カバー１０Ａを物干し竿Ｂに掛けられた洗濯物Ａの全体を覆うように被せ、物干し竿Ｂの前側に垂下したカバー本体２０の角隅部２１ａ，２１ｃと、後側に垂下したカバー本体２０の角隅部２１ｂ，２１ｄを互いに重ね合わせる際、角隅部２１ａ，２１ｃに取り付けたホック３０の雄部材３１と、角隅部２１ｂ，２１ｄに取り付けた雌部材３２を互いに嵌め合わせて固定する。【選択図】図２
2012095886.tif 000002
【特許請求の範囲】
【請求項１】
洗濯物が覆われる防水性及び通気性を有する洗濯物干し用カバーであって、
前記洗濯物干し用カバーを、
前記洗濯物の全体を覆うことができる大きさ及び形状に形成した不織布製のカバー本体と、
前記洗濯物を覆う範囲よりも外側にて前記カバー本体の裏面を互いに重ね合わせた状態に固定するカバー固定手段とで構成した
洗濯物干し用カバー。
【請求項２】
前記カバー本体を、
該カバー本体の平面上に設定した十字状に直交する２本の仮想折り返し線のそれぞれに対して対称となる形状で形成するとともに、
前記カバー固定手段を、前記２本の仮想折り返し線のそれぞれに対して対称となる位置に配置し、
前記カバー固定手段を、
互いに固定される構造を有する雄部材と雌部材とで構成し、
前記雄部材を、前記各仮想折り返し線により区分けされた領域のうち対角関係にある一組の領域に取り付け、
前記雌部材を、前記各仮想折り返し線により区分けされた領域のうち対角関係にある他組の領域に取り付けた
請求項１に記載の洗濯物干し用カバー。
【請求項３】
前記カバー本体を、平面から見て矩形に形成し、
前記雄部材を、前記各仮想折り返し線により区分けした前記カバー本体の一方の対角する角隅部に取り付け、
前記雌部材を、前記各仮想折り返し線により区分けした前記カバー本体の他方の対角する角隅部に取り付けた
請求項２に記載の洗濯物干し用カバー。
【請求項４】
前記洗濯物干し用カバーに、
前記洗濯物の乾き具合を前記カバー本体の外側から確認する乾き具合確認手段を設けた
請求項１〜３のいずれか一つに記載の洗濯物干し用カバー。
【請求項５】
前記乾き具合確認手段を、
前記洗濯物干し用カバーにより囲繞された空間内に対して手の挿入を許容する大きさに拡張可能なスリット状、かつ斜めに形成した挿入孔で構成するとともに、該挿入孔を前記カバー本体の中央付近に配置した
請求項４に記載の洗濯物干し用カバー。
【請求項６】
前記乾き具合確認手段を、
前記洗濯物干し用カバーにより囲繞された空間内の湿度を表示し、該洗濯物干し用カバーの外側から目視可能な湿度表示手段で構成した
請求項４に記載の洗濯物干し用カバー。
【請求項７】
前記洗濯物干し用カバーの前記洗濯物が掛けられる物干し竿と対向する裏面に、前記物干し竿の外周面に対して接触抵抗を付与する滑り止め部材を装着した
請求項１〜６のいずれか一つに記載の洗濯物干し用カバー。
【発明の詳細な説明】
【技術分野】
【０００１】
この発明は、洗濯物を屋外にて天日干しする際、例えば洗濯物が雨に濡れてしまったり、鳥の糞や木の葉等が付着したり、花粉、塵埃等のアレルギー症状を誘起するような微粒子が付着することを防止することができる洗濯物干し用カバーに関する。
【背景技術】
【０００２】
上述の洗濯物が雨に濡れることを防止するものとしては、例えば防水性及び通気性を有する洗濯物干しカバー（特許文献１参照）が提案されている。  
詳述すると、特許文献１の洗濯物干しカバーは、連続性極細繊維に高熱を加えて結合させたポリオレフィン系不織布である機能性シートを用い、該機能性シートの繊維間の隙間もしくは孔が０．０１μｍ〜１μｍの範囲で、該機能性シートの表面に複数の凹状のエンボスを形成している。
【０００３】
上述の機能性シートは防水性及び通気性を兼ね備えているため、物干し竿に掛けられた被乾燥物に洗濯物干しカバーを被せることにより、例えば洗濯物が雨に濡れてしまったり、鳥の糞や木の葉等が付着したり、花粉、塵埃等のアレルギー症状を誘起するような微粒子が付着することなく、洗濯物を乾かすことができるとされている。
【０００４】
しかし、単に、洗濯物干しカバーを、物干し竿に掛けられた被乾燥物に被せただけでは、風が吹き付けられた際、機能性シートの縁部が捲れ上がったり、ズレ落ちたりする等して被乾燥物が露出してしまうので、洗濯物が雨に濡れたり、鳥の糞や木の葉等が付着したり、花粉、塵埃等のアレルギー症状を誘起するような微粒子が付着しやすく、洗濯物の清潔性が損なわれてしまう。
【０００５】
したがって、機能性シートを被乾燥物に被せた後、機能性シートの複数箇所を洗濯ばさみで物干し竿に固定し、物干し竿にて折り返された機能性シートの対向縁部を適当な間隔にてシート用洗濯ばさみで固定するが、複数の別の洗濯ばさみを用いて機能性シートを物干し竿に固定したり、機能性シートの対向縁部を固定したりするので、機能性シートを被乾燥物に被せる作業に手間及び時間が掛かるという問題がある。
【先行技術文献】
【特許文献】
【０００６】
【特許文献１】特開２０１０−１４４２６９号公報
【発明の概要】
【発明が解決しようとする課題】
【０００７】
この発明は、洗濯物を屋外にて天日干しする際、洗濯物の全体を容易に覆うことができるとともに、洗濯物が雨に濡れてしまったり、鳥の糞や木の葉等が付着したり、花粉、塵埃等のアレルギー症状を誘起するような微粒子が付着することを防止することができる洗濯物干し用カバーを提供することを目的とする。
【課題を解決するための手段】
【０００８】
この発明は、洗濯物が覆われる防水性及び通気性を有する洗濯物干し用カバーであって、前記洗濯物干し用カバーを、前記洗濯物の全体を覆うことができる大きさ及び形状に形成した不織布製のカバー本体と、前記洗濯物を覆う範囲よりも外側にて前記カバー本体の裏面を互いに重ね合わせた状態に固定するカバー固定手段とで構成した洗濯物干し用カバーであることを特徴とする。
【０００９】
上述の洗濯物干し用カバーを、例えば物干し竿に掛けられた洗濯物の全体を覆うように被せて、物干し竿にて折り返された洗濯物干し用カバーの裏面を、洗濯物を覆う範囲よりも外側にて互いに重ね合せてカバー固定手段により固定する。
【００１０】
これにより、例えば洗濯ばさみ等の多数の別の留め具を用いて固定するような手間及び作業が省け、洗濯物の全体を容易に覆うことができるとともに、洗濯物干し用カバーの着脱に要する時間を短縮することができる。
【００１１】
洗濯物干し用カバーによって洗濯物の全体を覆うことにより、例えば洗濯物を屋外にて天日干しする際、太陽の熱によって洗濯物干し用カバーにより覆われた洗濯物が加熱され、洗濯物に含まれる水分が蒸発気化する。洗濯物から蒸発する水分は、不織布からなるカバー本体の繊維の隙間や孔よりも小さいので、その繊維の隙間や孔を通過して大気中に放出される。
【００１２】
すなわち、洗濯物干し用カバーにより囲繞された空間内に水分が溜まりにくく、洗濯物から蒸発した水分が大気中に向けて効率よく放出されるので、短い時間で乾かすことができる。また、降雨時の雨粒よりもカバー本体の繊維の隙間や孔の方が小さいので、洗濯物干し用カバーにより囲繞された空間内に雨水が侵入することを防止することができる。  
この結果、洗濯物を屋外にて天日干しする際、洗濯物干し用カバーにより覆われた洗濯物が雨に濡れてしまうことがなく、効率よく乾かすことができる。
【００１３】
また、例えば花粉、塵埃等のアレルギー症状を誘起するような微粒子よりも、カバー本体の繊維の隙間や孔の方が小さく、殆どの微粒子の通過が阻止されるので、洗濯物干し用カバーにより囲繞された空間内に微粒子が侵入することを防止することができる。
【００１４】
この結果、洗濯物干し用カバーにより覆われた洗濯物に微粒子が付着することを防止することができる。また、乾いた洗濯物を身に着ける際、微粒子が体内に取り込まれる心配がなく、アレルギー症状が起きることを防止することができる。
【００１５】
また、洗濯物干し用カバーにより洗濯物の全体を覆うので、洗濯物が直射日光に晒されることがなく、色褪せ或いは変色することを防止することができる。さらに、洗濯物が人目に晒されることも防止することができる。
【００１６】
この発明の態様として、前記カバー本体を、該カバー本体の平面上に設定した十字状に直交する２本の仮想折り返し線のそれぞれに対して対称となる形状で形成するとともに、前記カバー固定手段を、前記２本の仮想折り返し線のそれぞれに対して対称となる位置に配置し、前記カバー固定手段を、互いに固定される構造を有する雄部材と雌部材とで構成し、前記雄部材を、前記各仮想折り返し線により区分けされた領域のうち対角関係にある一組の領域に取り付け、前記雌部材を、前記各仮想折り返し線により区分けされた領域のうち対角関係にある他組の領域に取り付けることができる。
【００１７】
上述の洗濯物干し用カバーを、例えば物干し竿に掛けられた洗濯物の全体を覆うように被せて、物干し竿の前側に垂下した洗濯物干し用カバーの前側垂下部と、物干し竿の後側に垂下した洗濯物干し用カバーの後側垂下部とを互いに重ね合わせる際、対角関係にある一組の領域に取り付けた雄部材と、対角関係にある他組の領域に取り付けた雌部材とを互いに嵌め合わせて固定するので、洗濯物干し用カバーを、物干し竿に掛けられた洗濯物の全体を覆うように固定することができる。
【００１８】
つまり、洗濯物干し用カバーの対角関係にある一組の領域と対角関係にある他組の領域とをカバー固定手段にて固定するので、２本の仮想折り返し線のどちらで折り返して洗濯物を覆っても、互いに重ね合わされた部分が風で捲れ上がるようなことがなく、洗濯物の全体が覆われた状態を保つことができる。
【００１９】
またこの発明の態様として、前記カバー本体を、平面から見て矩形に形成し、前記雄部材を、前記各仮想折り返し線により区分けした前記カバー本体の一方の対角する角隅部に取り付け、前記雌部材を、前記各仮想折り返し線により区分けした前記カバー本体の他方の対角する角隅部に取り付けることができる。
【００２０】
上述の洗濯物干し用カバーを、例えば物干し竿に掛けられた洗濯物の全体を覆うように被せて、物干し竿の前側に垂下した洗濯物干し用カバーの角隅部と、物干し竿の後側に垂下した洗濯物干し用カバーの角隅部とを互いに重ね合わせる際、その重ね合わせた四隅の角隅部を４個の留め具にて固定するので、洗濯物干し用カバーを、物干し竿に掛けられた洗濯物の全体を覆うように固定することができる。つまり、洗濯物干し用カバーの四隅の角隅部で固定するので、少ない留め具で四隅の角隅部が捲れることを防止できる。
【００２１】
またこの発明の態様として、前記洗濯物干し用カバーに、前記洗濯物の乾き具合を前記カバー本体の外側から確認する乾き具合確認手段を設けることができる。
【００２２】
上述の洗濯物干し用カバーにより洗濯物の全体を覆ったまま、乾き具合確認手段を介して、洗濯物の乾き具合を洗濯物干し用カバーの外側から確認するので、洗濯物干し用カバーを捲り上げて、洗濯物の乾き具合を確認するような手間及び作業が省ける。
【００２３】
この結果、洗濯物の乾き具合を確認する際、洗濯物が雨に濡れてしまったり、アレルギー症状を誘起するような微粒子が洗濯物に付着することを防止することができる。
【００２４】
またこの発明の態様として、前記乾き具合確認手段を、前記洗濯物干し用カバーにより囲繞された空間内に対して手の挿入を許容する大きさに拡張可能なスリット状、かつ斜めに形成した挿入孔で構成するとともに、該挿入孔を前記カバー本体の中央付近に配置することができる。
【００２５】
上述の洗濯物干し用カバーにより洗濯物の全体を覆ったまま、手を挿入孔から挿入して、洗濯物干し用カバーにより覆われた洗濯物を手で直接触るので、洗濯物の乾き具合を手触り感によって確認することができる。
【００２６】
また、挿入孔をカバー本体の中央付近に形成することにより、洗濯物干し用カバーの横から手を差し入れても触りにくい洗濯物の乾きが遅い中央部分や、物干し竿の外周面や物干し用カバーの裏面と接する洗濯物の乾きが遅い部分の乾き具合を容易に確認することができる。
【００２７】
この結果、洗濯物の乾き具合を人の手によって直接確認することができる。また、降雨時において、雨水は、斜めに形成した挿入孔に沿って下方へ流れ落ちるので、洗濯物干し用カバーにより囲繞された空間内に雨水が侵入することを防止することができる。
【００２８】
またこの発明の態様として、前記乾き具合確認手段を、前記洗濯物干し用カバーにより囲繞された空間内の湿度を表示し、該洗濯物干し用カバーの外側から目視可能な湿度表示手段で構成することができる。
【００２９】
上述の洗濯物干し用カバーにより覆われた洗濯物の乾き具合に応じて、該洗濯物干し用カバーにより囲繞された空間内の湿度が変化し、その湿度の変化を湿度表示手段によって表示するので、洗濯物干し用カバーの外側から湿度表示手段を目視すれば、洗濯物の乾き具合を目視確認することができる。  
この結果、洗濯物の乾き具合の確認に誤差が生じにくく、乾き具合を正確に把握することができる。
【００３０】
またこの発明の態様として、前記洗濯物干し用カバーの前記洗濯物が掛けられる物干し竿と対向する裏面に、前記物干し竿の外周面に対して接触抵抗を付与する滑り止め部材を装着することができる。
【００３１】
上述の洗濯物干し用カバーを、物干し竿に掛けられた洗濯物の全体を覆うように被せる際、洗濯物干し用カバーに装着された滑り止め部材を、例えば洗濯物の両側縁部よりも外側に露出する物干し竿の外周面に対してそれぞれ巻き付ける。
【００３２】
物干し竿の外周面に対して滑り止め部材の接触抵抗が付与されるので、洗濯物干し用カバーに対して風が吹き付けられても、洗濯物干し用カバーの向きや位置が変位したり、洗濯物干し用カバーが物干し竿からズレ落ちたりすることがない。
【００３３】
この結果、洗濯物干し用カバーにより覆われる範囲から洗濯物の一部がはみ出すことがなく、洗濯物の全体が覆われた状態を保つことができるので、洗濯物が雨に濡れたり、微粒子が付着することを防止することができる。
【００３４】
なお、前記カバー本体は、例えばポリエチレン、ポリオレフィン、ポリプロピレン、ポリエステル等の繊維で形成された不織布で構成することができる。  
また、カバー固定手段は、例えばホック、面ファスナー、スライドファスナー、ジッパー、マグネット等で構成することができる。
【００３５】
さらに詳しくは、雄部材と雌部材は、ホックの凸状雄部材と凹状雌部材とに対応し、また、面ファスナーの鉤止部を有する雄形ファスナーとループ部を有する雌形ファスナーとに対応し、また、スライドファスナーの凸状部材と凹状部材とに対応し、また、ジッパーの雄条と雌条とに対応し、また、マグネットのＮ極部材とＳ極部材とに対応する。
【００３６】
また、湿度表示手段は、例えば二酸化珪素（シリカゲル）等の吸湿性化合物により湿度反応部を形成した湿度インジケータ、或いは、不織布、濾紙等の素材に塩化カルシウム水溶液と塩化コバルト水溶液を含浸して形成した湿度表示部等で構成することができる。
【発明の効果】
【００３７】
この発明によれば、洗濯物を屋外にて天日干しする際、洗濯物の全体を容易に覆うことができるとともに、洗濯物が雨に濡れてしまったり、鳥の糞や木の葉等が付着したり、花粉、塵埃等のアレルギー症状を誘起するような微粒子が付着することを防止することができる。
【図面の簡単な説明】
【００３８】
【図１】矩形を有するホック付き洗濯物干し用カバーを裏面図。
【図２】縦長に被せた洗濯物干し用カバーをホックにて固定した正面図。
【図３】ホックを角隅部に取り付けた洗濯物干し用カバーの裏面図。
【図４】洗濯物干し用カバーの対向角隅部をホックにて固定した正面図。
【図５】横長に被せた洗濯物干し用カバーをホックにて固定した正面図。
【図６】面ファスナーが取り付けられた洗濯物干し用カバーの裏面図。
【図７】洗濯物干し用カバーの対向縁部を面ファスナーにて固定した正面図。
【図８】スリット状の挿入孔を形成した洗濯物干し用カバーの正面図。
【図９】閉塞片或いは閉塞カバーを挿入孔に取り付けた部分拡大図。
【図１０】湿度インジケータを装着した洗濯物干し用カバーの正面図。
【図１１】花柄の湿度表示部を形成した洗濯物干し用カバーの正面図。
【図１２】滑り止め部材が取り付けられた洗濯物干し用カバーの裏面図。
【図１３】洗濯物干し用カバーを滑り止め部材にて滑り止めした正面図。
【図１４】物干し竿に巻き付けられた滑り止め部材の拡大端面断面図。
【図１５】丸形を有するホック付き洗濯物干し用カバーの裏面図。
【図１６】洗濯物干し用カバーの対向縁部をホックにて固定した正面図。
【図１７】滑り止め用エンボスを形成した洗濯物干し用カバーの裏面拡大図。
【発明を実施するための形態】
【００３９】
この発明の一実施形態を以下図面に基づいて詳述する。  
図１は矩形を有するホック付き洗濯物干し用カバー１０Ａの裏面図、図２は縦長に被せた洗濯物干し用カバー１０Ａをホック３０にて固定した正面図である。
【００４０】
本実施形態の洗濯物干し用カバー１０Ａは、平面から見て矩形に形成した柔軟性を有するシート状のカバー本体２０と、カバー本体２０の角隅部２１ａ，２１ｂ，２１ｃ，２１ｄを含む周縁部に取り付けたプラスチック製のホック３０とで構成している。
【００４１】
カバー本体２０は、防水性及び通気性を有するポリエチレン製の不織布により形成している。なお、不織布の繊維の隙間或いは孔の大きさは、約０．０１μｍ〜１μｍ程度である。  
また、カバー本体２０は、該カバー本体２０の平面上に設定した十字状に直交する２本の仮想折り返し線Ｃ，Ｄに対して、一方の仮想折り返し線Ｃを基準として上下対称となり、他方の仮想折り返し線Ｄを基準として左右対称となる矩形状に形成している。
【００４２】
カバー本体２０の裏面には、凹凸状のエンボス２２をカバー本体２０の裏面に沿って所定間隔を隔てて多数形成している（図１のａ部拡大図参照）。また、エンボス２２は、洗濯物Ａと対向するカバー本体２０の裏面全体に形成している。
【００４３】
カバー本体２０の裏面が洗濯物Ａに触れても、エンボス２２によって洗濯物Ａと接する裏面の接触面積が小さくなるので、カバー本体２０と洗濯物Ａとの間に空気の流通を許容する空間が確保され、洗濯物Ａから蒸発する水分が効率よく放出される。
【００４４】
ホック３０は、互いに嵌め合わされる大きさ及び形状に形成した凸状の雄部材３１と凹状の雌部材３２とで構成している。  
雄部材３１は、カバー本体２０の裏面に仮想設定した十字状に直交する折り返し線Ｃ，Ｄで区切られた一方の対角する領域の角隅部２１ａ，２１ｃの直角を成す２辺の縁部に沿って等間隔を隔てて取り付けている。
【００４５】
雌部材３２は、他方の対角する領域の角隅部２１ｂ，２１ｄの直角を成す２辺の縁部に沿って等間隔を隔てて複数取り付けている（図１参照）。  
なお、雄部材３１と雌部材３２とは、折り返し線Ｃ，Ｄに対して対称となる位置に配置している。
【００４６】
上述の洗濯物干し用カバー１０Ａを用いて、物干し竿Ｂに掛けられた洗濯物Ａを天日干しする方法を説明する。  
先ず、図２に示すように、脱水後の洗濯物Ａを屋外に設置された物干し竿Ｂに対して縦長に掛けた後、洗濯物干し用カバー１０Ａを縦長にして、カバー本体２０の対向する長辺側中央縁部を結ぶ折り返し線Ｃ（図１参照）に沿って二つ折りしながら、物干し竿Ｂに掛けられた洗濯物Ａの全体を覆うように上から被せて、カバー本体２０の裏面側周縁部を洗濯物Ａが覆われる範囲よりも外側にて互いに重ね合せる。
【００４７】
すなわち、物干し竿Ｂの前側に垂下したカバー本体２０の一方の対角する領域の角隅部２１ａ，２１ｃと、物干し竿Ｂの後側に垂下したカバー本体２０の他方の対角する領域の角隅部２１ｂ，２１ｄを互いに重ね合わせる際、角隅部２１ａ，２１ｃの縁部に取り付けたホック３０の雄部材３１と、角隅部２１ｂ，２１ｄの縁部に取り付けた雌部材３２とを互いに嵌め合わせて固定する。  
これにより、洗濯物干し用カバー１０Ａを、物干し竿Ｂに掛けられた洗濯物Ａの全体を覆うように固定することができる（図２参照）。
【００４８】
洗濯物Ａの天日干し時において、太陽の熱によって洗濯物干し用カバー１０Ａにより覆われた洗濯物Ａが加熱され、洗濯物Ａに含まれる水分が蒸発気化される。洗濯物Ａから蒸発した水分は、カバー本体２０の繊維の隙間や孔よりも小さいので、カバー本体２０の通過が許容される。
【００４９】
したがって、洗濯物干し用カバー１０Ａにより囲繞された空間内に水分が溜まりにくく、洗濯物干し用カバー１０Ａの外部に向けて水分が効率よく放出されるので、洗濯物Ａを雨除けカバー（図示せず）により覆わずに乾かした際と略同等の乾かす効果が得られる。
【００５０】
一方、降雨時の雨粒は、カバー本体２０の繊維の隙間や孔よりも大きいので、カバー本体２０の通過が阻止される。また、カバー本体２０の表面に付着した雨水は表面張力により球状化するので、洗濯物干し用カバー１０Ａにより囲繞された空間内に雨水が侵入することがなく、洗濯物Ａが雨に濡れることを防止することができる。
【００５１】
また、洗濯物干し用カバー１０Ａを、物干し竿Ｂに掛けられた複数の洗濯物Ａを覆うように被せる際、図５に示すように、洗濯物干し用カバー１０Ａを９０度方向転換して横長に変更した後、洗濯物干し用カバー１０Ａを、カバー本体２０の対向する短辺側中央縁部を結ぶ折り返し線Ｄ（図１参照）に沿って二つ折りしながら、洗濯物Ａの全体を覆うように上から被せる。
【００５２】
そして、物干し竿Ｂの前側に垂下したカバー本体２０の角隅部２１ａ，２１ｃと、物干し竿Ｂの後側に垂下したカバー本体２０の角隅部２１ｂ，２１ｄを互いに重ね合わせる際、ホック３０の雄部材３１と雌部材３２を互いに嵌め合わせて固定すれば、洗濯物干し用カバー１０Ａを、物干し竿Ｂに対して横長に掛けられた洗濯物Ａの全体を覆うように固定することができる。
【００５３】
このように、物干し竿Ｂに掛けられる洗濯物Ａの干し方、或いは、物干し竿Ｂに掛けられる洗濯物Ａの大きさ、形状、枚数等に応じて、洗濯物干し用カバー１０Ａの向きを変更して洗濯物Ａに被せても、カバー本体２０の角隅部２１ａ〜２１ｄを互いに重ね合わせた状態にホック３０にて固定することができる。
【００５４】
したがって、濯物干し用カバー１０Ａで洗濯物Ａを容易に覆うとともに固定し、洗濯物Ａを覆う洗濯物干し用カバー１０Ａが風等によって捲れることを防止できる。よって、天日干し時において、洗覆われた洗濯物Ａが雨に濡れることを防止することができる。
【００５５】
次に、上述のホック３０の他の取り付け例として、ホック３０をカバー本体２０の対角する角隅部２１ａ〜２１ｄに取り付けた場合について説明する。図３はホック３０を角隅部２１ａ〜２１ｄに取り付けた洗濯物干し用カバー１０Ａの裏面図、図４は洗濯物干し用カバー１０Ａの対向角隅部２１ａ〜２１ｄをホック３０にて固定した正面図である。
【００５６】
ホック３０の雄部材３１は、カバー本体２０の対角する一方の角隅部２１ａ，２１ｃに１個ずつ取り付けている。また、雌部材３２は、カバー本体２０の対角する他方の角隅部２１ｂ，２１ｄに１個ずつ取り付けている。
【００５７】
洗濯物干し用カバー１０Ａを、物干し竿Ｂに掛けられた洗濯物Ａの全体を覆うように被せた後、物干し竿Ｂの前側に垂下したカバー本体２０の角隅部２１ａ，２１ｃと、物干し竿Ｂの後側に垂下したカバー本体２０の角隅部２１ｂ，２１ｄを互いに重ね合わせる。
【００５８】
そして、重ね合わせ状態において、ホック３０の雄部材３１と雌部材３２を互いに嵌め合わせて固定すれば、洗濯物干し用カバー１０Ａを、物干し竿Ｂに掛けられた洗濯物Ａの全体を覆うように固定することができる。
【００５９】
この結果、洗濯物Ａを覆う洗濯物干し用カバー１０Ａが風等によって捲れることを防止できる。したがって、天日干し時において、洗濯物干し用カバー１０Ａにより覆われた洗濯物Ａが雨に濡れることを防止することができ、前記実施形態と略同等の作用及び効果を奏することができる。
【００６０】
また、カバー本体２０の角隅部２１ａ〜２１ｄを４個のホック３０のみで固定するので、図１に示す１０個のホック３０にて固定するような手間及び作業が省け、洗濯物干し用カバー１０Ａの着脱に要する時間を大幅に短縮することができる。さらにまた、前記実施形態よりもホック３０の個数が少ないので、洗濯物干し用カバー１０Ａを安価に製造することができる。
【００６１】
次に、上述のホック３０に代わる他の固定手段として、面ファスナー４０により洗濯物干し用カバー１０Ａの角隅部２１ａ〜２１ｄを固定する場合について説明する。図６は面ファスナー４０が取り付けられた洗濯物干し用カバー１０Ａの裏面図、図７は洗濯物干し用カバー１０Ａの対向縁部を面ファスナー４０にて固定した正面図である。
【００６２】
上述の面ファスナー４０は、多数の鉤止部を有する雄形ファスナー４１と、多数のループ部を有する雌形ファスナー４２とで構成している。  
雄形ファスナー４１は、カバー本体２０の対角する一方の角隅部２１ａ，２１ｃを成す２辺の縁部に沿って取り付けている。  
雌形ファスナー４２は、カバー本体２０の対角する他方の角隅部２１ｂ，２１ｄを成す２辺の縁部に沿って取り付けている。
【００６３】
上述の洗濯物干し用カバー１０Ａを、物干し竿Ｂに掛けられた洗濯物Ａの全体を覆うように被せた後、物干し竿Ｂの前側に垂下したカバー本体２０の角隅部２１ａ，２１ｃと、物干し竿Ｂの後側に垂下したカバー本体２０の角隅部２１ｂ，２１ｄを互いに重ね合わせる。
【００６４】
そして、重ね合わせ状態において、角隅部２１ａ，２１ｃの縁部に取り付けた面ファスナー４０の雄形ファスナー４１と、角隅部２１ｂ，２１ｄの縁部に取り付けた雌形ファスナー４２とを互いに係止して固定すれば、洗濯物干し用カバー１０Ａを、物干し竿Ｂに掛けられた洗濯物Ａの全体を覆うように固定することができる（図７参照）。
【００６５】
この結果、洗濯物Ａを覆う洗濯物干し用カバー１０Ａが風等によって捲れることを防止できる。したがって、洗濯物干し用カバー１０Ａにより覆われた洗濯物Ａが雨に濡れることを防止することができ、前記実施形態と略同等の作用及び効果を奏することができる。
【００６６】
なお、上述のホック３０の場合、カバー本体２０の角隅部２１ａ〜２１ｄを成す縁部に沿って等間隔を隔てて取り付けているので、これを用いてカバー本体２０の角隅部２１ａ〜２１ｄを固定した際、隣り合うホック３０とホック３０との間に隙間が生じることになる。
【００６７】
しかし、面ファスナー４０は、カバー本体２０の角隅部２１ａ〜２１ｄを成す縁部に沿って取り付けているので、これを用いてカバー本体２０の角隅部２１ａ〜２１ｄを互いに重ね合わせた状態に固定すれば、角隅部２１ａ〜２１ｄの面ファスナー４０が取り付けられた対向縁部には殆ど隙間が形成されず、洗濯物干し用カバー１０Ａにより囲繞された空間内に雨水や微粒子が侵入することを防止することができる。  
この結果、ホック３０を用いて固定するよりも固定範囲が長く、前記実施形態と略同等或いは同等以上の作用及び効果を奏することができる。
【００６８】
次に、上述のホック３０（或いは面ファスナー４０）を備えるとともに、洗濯物干し用カバー１０Ａの外側（表面）から洗濯物Ａの乾き具合を確認する構造として、カバー本体２０の中央付近にスリット状の挿入孔５０を備えた洗濯物干し用カバー１０Ａについて説明する。図８はスリット状の挿入孔５０を形成した洗濯物干し用カバー１０Ａの正面図、図９は閉塞片５１或いは閉塞カバー５２を挿入孔５０に取り付けた部分拡大図である。
【００６９】
上述の挿入孔５０は、カバー本体２０の対角する角隅部２１ｂ，２１ｄを結ぶ対角線とほぼ平行して、該カバー本体２０の洗濯物Ａに被せられる中央付近の面に沿って斜めに形成している。
【００７０】
挿入孔５０は、手の挿入を許容する大きさ及び形状に拡張可能に形成している。また、手を挿入孔５０から抜き取ると、カバー本体２０の復元力によって閉塞状態に復帰する（図８のｂ部拡大図参照）。
【００７１】
上述のホック３０を用いて固定した洗濯物干し用カバー１０Ａの外側から洗濯物Ａの乾き具合を確認する際、洗濯物干し用カバー１０Ａにより囲繞された空間内に対して手を挿入孔５０から挿入して、洗濯物干し用カバー１０Ａにより覆われた洗濯物Ａを手で直接触るので、洗濯物Ａの乾き具合を手触り感、つまり触覚によって確認することができる。
【００７２】
また、挿入孔５０をカバー本体２０の中央付近に形成することにより、洗濯物干し用カバー１０Ａの横から手を差し入れても触りにくい洗濯物Ａの乾きが遅い中央部分や、物干し竿Ｂの外周面や物干し用カバー１０Ａの裏面と接する洗濯物Ａの乾きが遅い部分の乾き具合を容易に確認することができる。
【００７３】
これにより、洗濯物干し用カバー１０Ａを捲り上げて、洗濯物Ａの乾き具合を確認する必要がなく、洗濯物Ａの乾き具合を人の手によって直接確認することができる。
【００７４】
また、洗濯物Ａの乾き具合を人の手によって直接確認するために洗濯物干し用カバー１０Ａを捲りあげる場合と比較して、洗濯物干し用カバー１０Ａを被せ直す手間及び作業が省けるので、洗濯物Ａの乾き具合を確認する作業が容易に行える。さらにまた、例えば花粉、塵埃等のアレルギー症状を誘起するような微粒子が洗濯物Ａに付着することを防止することができる。
【００７５】
また、降雨時において、雨水は、斜めに形成した挿入孔５０に沿って下方へ流れ落ちるので、洗濯物干し用カバー１０Ａにより囲繞された空間内に雨水が侵入することを防止することができる。
【００７６】
この結果、洗濯物Ａを覆う洗濯物干し用カバー１０Ａが風等によって捲れることを防止できる。したがって、洗濯物干し用カバー１０Ａにより覆われた洗濯物Ａが雨に濡れることを防止することができ、前記実施形態と略同等の作用及び効果を奏することができる。
【００７７】
なお、上述のホック３０を用いて固定した洗濯物干し用カバー１０Ａの挿入孔５０から雨水が侵入することを防止する構造として、図９の（ａ）に示すように、挿入孔５０の下側縁部に、該挿入孔５０の全長が閉塞される大きさ及び形状に形成した閉塞片５１を斜め上向きに連設して、閉塞片５１により挿入孔５０を裏面側から閉塞してもよい。
【００７８】
また、他の構造として、図９の（ｂ）に示すように、挿入孔５０の上側表面に、該挿入孔５０の全長が覆われる大きさ及び形状に形成した閉塞カバー５２を斜め下向きに取り付け、閉塞カバー５２によって挿入孔５０を表面側から閉塞してもよい。
【００７９】
つまり、手を挿入孔５０から抜き取った際、閉塞片５１或いは閉塞カバー５２によって挿入孔５０が閉塞されるので、挿入孔５０から雨水が浸入することを防止することができる。
【００８０】
次に、上述のホック３０（面ファスナー４０）を備えるとともに、洗濯物干し用カバー１０Ａの外側（表面）から洗濯物Ａの乾き具合を確認する他の構造として、洗濯物干し用カバー１０Ａの裏面側に湿度を表示する湿度インジケータ６０を取り付けた洗濯物干し用カバー１０Ａについて説明する。図１０は湿度インジケータ６０を装着した洗濯物干し用カバー１０Ａの正面図である。
【００８１】
湿度インジケータ６０は、柔軟性を有する表示シート６１の表示面に、洗濯物干し用カバー１０Ａにより囲繞された空間内の湿度に応じて色が変化する湿度表示部６２を複数形成している。
【００８２】
表示シート６１は、湿度表示部６２が形成された表示面をカバー本体２０の洗濯物Ａに被せられる中央部分に形成した表示窓６３と対向させて、該カバー本体２０の裏面側に取り付けている。また、表示窓６３には、該表示窓６３が閉塞される大きさ及び形状に形成され、カバー本体２０の表面側から湿度表示部６２の色の変化を目視可能な透明カバー６４を取り付けている（図１０のｃ部拡大図参照）。
【００８３】
上述の洗濯物干し用カバー１０Ａにより囲繞された空間内に洗濯物Ａから蒸発した水分が放出されると、水分の放出量に応じて空間内の湿度が徐々に高くなる。その湿度変化に対応して湿度インジケータ６０の湿度表示部６２が変色するので、図１０のｃ部拡大図に示す湿度表示部６２の色の変化を、カバー本体２０の表示窓６３を通して目視するだけで、洗濯物Ａの乾き具合を確認することができる。
【００８４】
天日干し開始時は、洗濯物Ａから放出される水分の量が多く、洗濯物干し用カバー１０Ａにより囲繞された空間内の湿度が高いので、その湿度に応じて湿度インジケータ６０の湿度表示部６２が濃い色に変色する。
【００８５】
時間経過に伴って、洗濯物Ａの天日干しが進行するほど、洗濯物Ａから放出される水分の量が少なくなり、洗濯物干し用カバー１０Ａにより囲繞された空間内の湿度が徐々に低くなるので、その湿度に応じて湿度インジケータ６０の湿度表示部６２が薄い色に変色する。
【００８６】
つまり、洗濯物干し用カバー１０Ａにより囲繞された空間内の湿度と、洗濯物干し用カバー１０Ａにより覆われた洗濯物Ａの乾き具合とは対応して変化するので、湿度変化に対応して変色した湿度インジケータ６０の湿度表示部６２を、カバー本体２０の表示窓６３を通して目視すれば、洗濯物Ａの乾き具合を洗濯物干し用カバー１０Ａの外側から容易に確認することができる。
【００８７】
この結果、洗濯物Ａの乾き具合の確認に誤差が生じにくく、乾き具合を正確に把握することができる。また、洗濯物Ａの天日干し終了時期を予測することが可能である。
【００８８】
なお、上述のホック３０を用いて固定した洗濯物干し用カバー１０Ａの外側（表面）から洗濯物Ａの乾き具合を確認するその他の構造として、湿度に応じて変色する花柄の湿度表示部７０を洗濯物干し用カバー１０Ａに形成してもよい。図１１は花柄の湿度表示部７０を形成した洗濯物干し用カバー１０Ａの正面図である。
【００８９】
湿度表示部７０は、不織布により形成したカバー本体２０の洗濯物Ａに被せられる中央部分に、塩化カルシウム水溶液と塩化コバルト水溶液を含浸して花柄に形成している。また、湿度表示部７０は、カバー本体２０の表面側から色の変化を目視可能に形成している。
【００９０】
上述の洗濯物干し用カバー１０Ａに形成した花柄の湿度表示部７０は、洗濯物干し用カバー１０Ａにより囲繞された空間内の湿度、すなわち、洗濯物Ａから蒸発する水分の放出量に応じて変色する。
【００９１】
つまり、洗濯物干し用カバー１０Ａにより囲繞された空間内の湿度が高くなると、湿度表示部７０が濃い色に変色する。また、空間内の湿度が低くなると、湿度表示部７０が薄い色に変色するので、湿度変化に対応して変色する湿度表示部７０を目視すれば、洗濯物Ａの乾き具合を洗濯物干し用カバー１０Ａの外側から容易に確認することができる。  
なお、湿度表示部７０は、上述の花柄のみに限定されるものではなく、例えば模様、図形、風景、植物、動物等の所望するパターンに形成してもよい。
【００９２】
また、挿入孔５０と、湿度インジケータ６０と、湿度表示部７０とを組み合わせてもよい。これにより、洗濯物Ａの乾き具合を洗濯物干し用カバー１０Ａの外側からより確実に確認することができる。
【００９３】
さらにまた、湿度インジケータ６０や湿度表示部７０と、挿入孔５０を組み合わせた場合、湿度インジケータ６０や湿度表示部７０の表示を見て洗濯物Ａの乾き具合を確認するので、洗濯物干し用カバー１０Ａを捲り上げて乾き具合を確認する手間が省ける。
【００９４】
乾き具合を直接確認する必要があれば、挿入孔５０から手を挿入して、洗濯物Ａの乾き具合を手触り感によって、より確実に確認することができる。つまり、予め視覚で確認し、必要に応じて、次に触覚で確認するというように、異なる感覚で段階的に洗濯物Ａの乾き具合を効率よく確認することができる。
【００９５】
次に、上述のホック３０（面ファスナー４０）を備えるとともに、洗濯物干し用カバー１０Ａを洗濯物Ａの全体を覆った状態に保つ構造として、洗濯物干し用カバー１０Ａの裏面両側縁部にシート状の滑り止め部材８０を備えた洗濯物干し用カバー１０Ａについて説明する。
【００９６】
図１２は滑り止め部材８０が取り付けられた洗濯物干し用カバー１０Ａの裏面図、図１３は洗濯物干し用カバー１０Ａを滑り止め部材８０にて滑り止めした正面図、図１４は物干し竿Ｂに巻き付けられた滑り止め部材８０の拡大端面断面図である。
【００９７】
滑り止め部材８０は、接触抵抗が大きい合成ゴムによりシート状に形成している。また、滑り止め部材８０は、カバー本体２０の対向する長辺側中央縁部と短辺側中央縁部とに沿って該各中央縁部の裏面に対してそれぞれ装着している。
【００９８】
上述の洗濯物干し用カバー１０Ａ（図１３参照）を物干し竿Ｂに掛けられた洗濯物Ａの全体を覆うように被せる際、洗濯物Ａの両側縁部よりも外側に露出する物干し竿Ｂの外周面に、洗濯物干し用カバー１０Ａの長辺側中央縁部に装着した滑り止め部材８０をそれぞれ巻き付ける（図１４参照）。
【００９９】
すなわち、物干し竿Ｂの外周面に対して滑り止め部材８０の接触抵抗が付与されるので、洗濯物干し用カバー１０Ａに対して風が吹き付けられても、洗濯物干し用カバー１０Ａの向きや位置が変位したり、洗濯物干し用カバー１０Ａが物干し竿Ｂからズレ落ちたりすることがない。
【０１００】
これにより、洗濯物干し用カバー１０Ａにより覆われる範囲から洗濯物Ａの一部がはみ出すことがなく、洗濯物Ａの全体が覆われた状態を保つことができる。  
この結果、洗濯物Ａを覆う洗濯物干し用カバー１０Ａが風等によって捲れることを防止できる。したがって、洗濯物干し用カバー１０Ａにより覆われた洗濯物Ａが雨に濡れたり、微粒子が付着することを防止することができる。  
なお、滑り止め部材８０の代わりに、粘着剤が塗布されたシートをカバー本体２０の長辺側中央縁部及び短辺側中央縁部にそれぞれ装着してもよい。
【０１０１】
また、矩形を有する洗濯物干し用カバー１０Ａに代わる他の例として、丸形を有する洗濯物干し用カバー１０Ｂを用いてもよい。図１５は丸形を有するホック付き洗濯物干し用カバー１０Ｂの裏面図、図１６は洗濯物干し用カバー１０Ｂの対向縁部をホック３０にて固定した正面図である。
【０１０２】
洗濯物干し用カバー１０Ｂは、平面から見て丸形に形成した不織布製のカバー本体２３と、カバー本体２３の辺部２３ａ，２３ｂ，２３ｃ，２３ｄに取り付けたプラスチック製のホック３０とで構成している。
【０１０３】
また、カバー本体２３は、該カバー本体２３の平面上に設定した十字状に直交する２本の仮想折り返し線Ｃ，Ｄに対して、一方の仮想折り返し線Ｃを基準として上下対称となり、他方の仮想折り返し線Ｄを基準として左右対称となる丸形状に形成している。
【０１０４】
ホック３０の雄部材３１は、カバー本体２３の裏面側に仮想設定された十字状に直交する折り返し線Ｃ，Ｄで区切られた一方の対角する領域の辺部２３ａ，２３ｃに沿って等間隔を隔てて取り付けている。  
雌部材３２は、他方の対角する領域の辺部２３ｂ，２３ｄに沿って等間隔を隔てて取り付けている（図１５参照）。  
なお、カバー本体２３及びホック３０の構造は、前記実施形態と同一であるので、その詳細な説明を省略する。
【０１０５】
上述の洗濯物干し用カバー１０Ｂを、カバー本体２３に仮想設定した折り返し線Ｄ（図１参照）に沿って二つ折りしながら、洗濯物Ａの全体を覆うように上から被せる。
【０１０６】
物干し竿Ｂの前側に垂下した半円形状を有するカバー本体２３の対向する辺部２３ａ，２３ｃと、物干し竿Ｂの後側に垂下した半円形状を有するカバー本体２３の対向する辺部２３ｂ，２３ｄを互いに重ね合わせる。
【０１０７】
そして、重ね合わせ状態において、辺部２３ａ，２３ｃの縁部に取り付けたホック３０の雄部材３１と、辺部２３ｂ，２３ｄの縁部に取り付けた雌部材３２とを互いに係止して固定すれば、洗濯物干し用カバー１０Ｂを、物干し竿Ｂに掛けられた洗濯物Ａの全体を覆うように固定することができる（図１６参照）。
【０１０８】
この結果、洗濯物干し用カバー１０Ｂにより覆われた洗濯物Ａが雨に濡れることを防止することができ、前記実施形態と略同等の作用及び効果を奏することができる。
【０１０９】
また、洗濯物干し用カバー１０Ｂは平面から見て丸形を有しているので、例えば枕カバー、シーツ等の丸形や楕円形を有する洗濯物Ａを天日干しする際に覆い被せて、雨に濡れることを防止することができる。
【０１１０】
次に、上述のホック３０を用いて固定した洗濯物干し用カバー１０Ａを洗濯物Ａの全体を覆った状態に保つ他の構造として、洗濯物干し用カバー１０Ａの裏面に滑り止め用のエンボス２２ａを形成してもよい。  
図１７は滑り止め用のエンボス２２ａを形成した洗濯物干し用カバー１０Ａの裏面拡大図である。
【０１１１】
滑り止め用のエンボス２２ａは、カバー本体２０の裏面側に突出する凸状に形成され、カバー本体２０の裏面に沿って所定間隔を隔てて多数形成している。また、エンボス２２ａの突出する部分は、接触抵抗が大きい合成ゴムで覆っている。
【０１１２】
上述の洗濯物干し用カバー１０Ａを物干し竿Ｂに掛けられた洗濯物Ａの全体を覆うように被せた際、カバー本体２０に形成した滑り止め用のエンボス２２ａが洗濯物Ａや物干し竿Ｂに押し付けられる。
【０１１３】
つまり、洗濯物Ａや物干し竿Ｂに対してエンボス２２ａの接触抵抗が付与されるので、洗濯物Ａ及び洗濯物干し用カバー１０Ａの向きや位置が変位したり、洗濯物Ａ及び濯物干し用カバー１０Ａが物干し竿Ｂからズレ落ちたりすることを防止することができる。
【０１１４】
この発明の構成と、前記実施形態との対応において、  
この発明のカバー固定手段は、実施形態のホック３０と、面ファスナー４０に対応し、  
以下同様に、  
乾き具合確認手段は、挿入孔５０と、湿度表示手段である湿度インジケータ６０及び湿度表示部７０に対応するも、  
この発明は、上述の実施形態の構成のみに限定されるものではなく、請求項に示される技術思想に基づいて応用することができ、多くの実施の形態を得ることができる。
【０１１５】
なお、前記ホック３０と、面ファスナー４０とを併用してもよい。また、挿入孔５０と、挿入孔６０と、湿度インジケータ７０とを併用してもよい。  
さらに、洗濯物干し用カバー１０Ｂに、挿入孔５０、挿入孔６０、及び湿度インジケータ７０のいくつかを備えてもよい。
【符号の説明】
【０１１６】
Ａ…洗濯物
Ｂ…物干し竿
１０Ａ，１０Ｂ…洗濯物干し用カバー
２０…カバー本体
２１ａ〜２１ｄ…角隅部
２２，２２ａ…エンボス
２３…カバー本体
２３ａ〜２３ｄ…辺部
３０…ホック
４０…面ファスナー
５０…挿入孔
６０…湿度インジケータ
７０…湿度表示部
８０…滑り止め部材
【図１】
2012095886.tif 000003
【図２】
2012095886.tif 000004
【図３】
2012095886.tif 000005
【図４】
2012095886.tif 000006
【図５】
2012095886.tif 000007
【図６】
2012095886.tif 000008
【図７】
2012095886.tif 000009
【図８】
2012095886.tif 000010
【図９】
2012095886.tif 000011
【図１０】
2012095886.tif 000012
【図１１】
2012095886.tif 000013
【図１２】
2012095886.tif 000014
【図１３】
2012095886.tif 000015
【図１４】
2012095886.tif 000016
【図１５】
2012095886.tif 000017
【図１６】
2012095886.tif 000018
【図１７】
2012095886.tif 000019